(57)【要約】【課題】ユニットバスの強度を確保しつつ、施工性を改善すると共に、入浴時の安全性を向上させる。【解決手段】フランジ８を一体に成形した浴槽１と、洗い場からフランジ８まで達する立上壁１２を備えた防水パン２とから成り、ブラケット４の受板２３をフランジ８の裏面に取り付け、脚部２４を立上壁１２に取り付けて、浴槽１と防水パン２とを固定する。フランジ８の手前側中央部とブラケット４とに手摺５を挿通して、その下部を防水パン２に接合し、浴槽１の内底面一側部に、防水パン２の洗い場と高さを揃えたステップ面１０を形成する。また、壁側隅部に位置する脚柱１７，１８の調整ボルト１９から回転軸２０を角度を変えて延長し、この回転軸２０を立上壁１２の開口部１４から操作できるようにする。【選択図】  図２
2004350915.tif 000002
【特許請求の範囲】
【請求項１】
フランジを一体に成形した浴槽と、洗い場から浴槽のフランジまで達する立上壁を備えた防水パンとから成り、浴槽のフランジに作用する荷重を支持するリブに受板と脚部とを設けたブラケットを形成し、その受板を浴槽のフランジの裏面に取り付け、脚部を防水パンの立上壁に取り付けて、浴槽と防水パンとを固定したユニットバス。
【請求項２】
前記浴槽のフランジの手前側中央部とブラケットの受板とに逆Ｕ字状の手摺を挿通して、手摺の下部を防水パンに接合した請求項１に記載のユニットバス。
【請求項３】
前記浴槽の内底面一側部に、防水パンの洗い場と高さを揃えたステップ面を形成し、このステップ面から段差を介して深底部を形成したことを特徴とする請求項２に記載のユニットバス。
【請求項４】
前記防水パンの立上壁に腕が入る開口部を設け、前記浴槽及び防水パンの壁側隅部に位置する脚柱から調整ボルトの回転軸を角度を変えて延長し、この回転軸を前記立上壁の開口部から操作できるようにした請求項１乃至３のいずれかに記載のユニットバス。
【請求項５】
前記浴槽の底部をねじジャッキ型の支持具で支持し、この支持具の高さを調整するハンドルを前記立上壁の開口部から操作できるようにした請求項１乃至４のいずれかに記載のユニットバス。
【発明の詳細な説明】
【０００１】
【発明の属する技術分野】
この発明は、住居の浴室に設置されるユニットバスに関するものである。
【０００２】
【従来の技術】
従来、下記特許文献１に示すようなユニットバスが知られている。このユニットバスは、図５に示すように、浴室内の奥側に金属製のフレーム５０を設置し、その手前に洗い場をなす防水パン５１を配置し、フレーム５０の前側支柱と防水パン５１とを固定し、一側にカウンター５２を設置して壁５３を建て込んだ後、浴槽５４をフレーム５０の内側に落とし込み、浴槽５４の周縁から張り出すフランジ５５をフレーム５０の上端材に載せて、フレーム５０に浴槽５４を固定し、浴槽５４の前面にエプロン５６を取り付ける構造とされている。
【０００３】
【特許文献１】
特開２００１−１７８６５０号公報
【０００４】
【発明が解決しようとする課題】
しかしながら、上記のように金属製のフレームを用いると、例えば、資材の搬入や施工スペースに制約のあるリフォーム等においては、フレームを構成する各部材の搬入や組立及び定位置への設置に手間がかかるという問題があった。
【０００５】
また、上記ユニットバスでは、洗い場からフランジを跨ぐと浴槽の内底面が一様に深くなっており、浴槽のフランジの手前側に手摺もないことから、浴槽に入る際、転倒する危険性もあった。
【０００６】
そこで、この発明は、ユニットバスの強度を確保しつつ、施工性を改善すると共に、入浴時の安全性を向上させることを課題とする。
【０００７】
【課題を解決するための手段】
上記課題を解決するため、この発明に係るユニットバスは、フランジを一体に成形した浴槽と、洗い場から浴槽のフランジまで達する立上壁を備えた防水パンとから構成し、浴槽のフランジに作用する荷重を支持するリブに受板と脚部とを設けたブラケットを使用し、その受板を浴槽のフランジの裏面に取り付け、脚部を防水パンの立上壁に取り付けて、浴槽と防水パンとを固定したのである。
【０００８】
このような構造とすると、フレームを省略しても、浴槽と防水パンとがブラケットで堅固に固定され、これらが一体となって荷重を支持するので、施工性を向上させつつ、必要な強度を確保することができる。
【０００９】
また、前記浴槽のフランジの手前側中央部とブラケットの受板とに逆Ｕ字状の手摺を挿通して、手摺の下部を防水パンに接合すると、手摺がブラケットで確実に保持されて安定し、浴槽に入ったり、浴槽から出たりする際には、この手摺を掴んで、手摺を中心に回転するように浴槽の跨ぎ代を跨ぐことができる。
【００１０】
さらに、前記浴槽の内底面一側部に、防水パンの洗い場と高さを揃えたステップ面を形成し、このステップ面から段差を介して深底部を形成し、浴槽の跨ぎ代を低くしておくと、跨ぎ代を跨ぐ際、足を少し上げてすぐに下ろすだけでよく、前記手摺の効果と相俟って、転倒の危険性が大幅に減少する。
【００１１】
なお、前記防水パンの立上壁に腕が入る開口部を設け、前記浴槽及び防水パンの壁側隅部に位置する脚柱から調整ボルトの回転軸を角度を変えて延長し、この回転軸を前記立上壁の開口部から操作できるようにしておくと、この開口部から調整ボルトを遠隔操作して、浴槽の水平レベルを調整できる。
【００１２】
また、前記浴槽の底部をねじジャッキ型の支持具で支持し、この支持具の高さを調整するハンドルを前記立上壁の開口部から操作できるようにしておくと、この開口部から工具を使用することなくジャッキを操作して、浴槽の水平レベルを調整できる。
【００１３】
【発明の実施の形態】
以下、この発明の実施の形態を添付図面に基づいて説明する。
【００１４】
この発明に係るユニットバスは、図１に示すように、ＦＲＰ成形体の浴槽１と洗い場をなす防水パン２とを基本構成部材とするものであり、浴槽１を支持するねじジャッキ型の支持具３と、浴槽１と防水パン２とを固定するブラケット４と、逆Ｕ字形の手摺５と、この手摺５の下部を防水パン２に固定する固定具６と、浴槽１の手前を覆うエプロン７などから主要部分が組み立てられる。
【００１５】
浴槽１には、フランジ８が一体に成形され、外周の三辺に壁を受ける額縁部９が形成されて、撓みが防止されるようになっている。浴槽１の内底面一側部には浅くなったステップ面１０が形成され、このステップ面１０から段差を介して深底部１１が形成されている。
【００１６】
防水パン２には、浴槽１側に立上壁１２が設けられ、外周部の三辺に壁を受ける額縁部１３が形成されて、撓みが防止されるようになっている。立上壁１２の両側の傾斜部分には開口部１４が形成され、開口部１４は、その下方を目視ししつつ、作業員が腕を入れられる大きさとされている。
【００１７】
防水パン２の洗い場は、立上壁１２の中央側へかけて低くなるように緩やかに傾斜し、その最低部に排水升１５が設けられている。立上壁１２の手前の中間平坦部には、固定具６を取り付ける複数本のボルトが植え込まれ、固定具６には、２本の立上管１６が設けられている。
【００１８】
浴槽１の壁側隅部には長い脚柱１７が、防水パン２の四隅には短い脚柱１８がそれぞれ取り付けられ、各脚柱１７，１８の下部には調整ボルト１９が螺合している。壁側隅部に位置する脚柱１７，１８の調整ボルト１９からは、蛇腹部を介して角度を変えられる回転軸２０が延長されている。
【００１９】
また、支持具３には、ジャッキのボルトを回転させて高さを調整する棒状のハンドル２１が両側へ突き出すように設けられている。
【００２０】
そのほか、ブラケット４は、一対の三角形のリブ２２の上部間に受板２３を連設し、各リブ２２の下部に脚部２４を設けた構成とされ、受板２３には、浴槽１のフランジ８の貫穴に対応して、手摺５を挿通する貫穴が形成されている。
【００２１】
いま、このユニットバスを組み立てるには、図２及び図３に示すように、浴室内で防水パン２に脚柱１８を取り付け、脚柱１８を土間の束石上に載せ、調整ボルト１９を回転させて、防水パン２の水平レベルを調整し、防水パン２の排水管等の接続工事を行う。
【００２２】
このとき、浴槽１は未だ設置していないので、浴槽側の調整ボルト１９は手で直接回転させることができ、壁側隅部の調整ボルト１９は、回転軸２０の先端部を操作して遠隔位置から回転させることができる。また、排水管等の接続も容易に行うことができる。
【００２３】
次に、浴槽１に脚柱１７及び支持具３を取り付け、フランジ８の手前側裏面にブラケット４の受板２３を固定した状態で、浴槽１を上方から下ろして、脚柱１７及び支持具３を土間の束石上に載せ、調整ボルト１９及び支持具３のボルトを回転させて、浴槽１の水平レベルを調整し、浴槽１の配管工事を行う。
【００２４】
このとき、壁側隅部に位置する調整ボルト１９は、防水パン２の開口部１４から回転軸２０を操作して、遠隔位置から回転させることができ、支持具３のボルトは、開口部１４からハンドル２１を操作して、手で直接回転させることができる。また、配管工事も開口部１４から容易に行うことができる。
【００２５】
そして、防水パン２及び浴槽１の水平レベルを調整した後、脚柱１７，１８から伸びる回転軸２０同士をワイヤで結んで、これらの回転軸２０の先端部が土間から持ち上げられた状態に保持されるようにする。
【００２６】
次に、固定具６を防水パン２に取り付け、浴槽１のフランジ８の貫穴と、ブラケット４の貫穴とに手摺５を挿通し、手摺５の下部に立上管１６を差し込んで、手摺５と立上管１６とを外周からビスで接合する。フランジ８の貫穴には、金座２５を予め取り付けておき、金座２５には樹脂製のカバーを被せる。
【００２７】
また、ブラケット４の脚部２４を防水パン２の立上壁１２にビスで締結し、固定具６をしっかりと固定してコーキングし、防水パン２の立上壁１２を覆うように、浴槽１の手前側にエプロン７を取り付ける。
【００２８】
その後、図４に示すように、防水パン２の一側にカウンター２６を設置し、壁２７を建て込んで、図示省略した天井を載置し、水栓や照明器具、鏡等を取り付け、仕上げシーリング作業を行う。
【００２９】
このような構造としたユニットバスでは、浴槽を支持するフレームを省略しているが、浴槽１と洗い場をなす防水パン２とがブラケット４で堅固に固定され、これらが一体となって荷重を支持するので、施工性を向上させつつ、必要な強度を確保することができる。
【００３０】
また、手摺５がブラケット４で確実に保持されて安定すると共に、浴槽１に入ったり、浴槽１から出たりする際には、この手摺５を掴んで、手摺５を中心に回転するように浴槽１の跨ぎ代を跨ぐことができるので、安全性が向上する。
【００３１】
さらに、防水パン２の洗い場と浴槽１のステップ面１０の高さが揃っているので、手摺５の効果と相俟って、転倒の危険性が大幅に減少する。なお、洗い場とステップ面１０の色を揃えておくと、安全性がより向上する。
【００３２】
また、施工後に浴槽１や防水パン２の水平レベルが狂っても、エプロン７を取り外して、立上壁１２の開口部１４からこれらの水平レベルを調整することができ、配管のメンテナンスも開口部１４から行うことができる。
【００３３】
【発明の効果】
以上のように、この発明に係るユニットバスでは、浴槽と洗い場をなす防水パンとがブラケットで堅固に固定され、これらが一体となって荷重を支持するので、施工性を向上させつつ、必要な強度を確保することができる。
【００３４】
また、浴槽のフランジの手前側中央部に手摺を設置したものでは、浴槽に入ったり、浴槽から出たりする際、この手摺を掴んで、手摺を中心に回転するように浴槽の跨ぎ代を跨ぐことができ、安全性が向上する。
【００３５】
また、浴槽の内底面一側部に、防水パンの洗い場と高さを揃えたステップ面を形成しておくと、跨ぎ代を容易に跨ぐことができ、前記手摺の効果と相俟って、転倒の危険性が大幅に減少する。
【００３６】
さらに、防水パンの立上壁に腕が入る開口部を設け、浴槽及び防水パンの脚柱から延長した調整ボルトの回転軸と、浴槽の底部を支持する支持具のハンドルとをこの開口部から操作できるようにしておくと、施工時やメンテナンス時に浴槽の水平レベルを容易に調整できる。
【図面の簡単な説明】
【図１】この発明の実施形態に係るユニットバスの主要部の分解斜視図
【図２】同上の組立状態を示す斜視図
【図３】同上の縦断側面図
【図４】同上の仕上状態を示す斜視図
【図５】従来のユニットバスを示す分解斜視図
【符号の説明】
１  浴槽
２  防水パン
３  支持具
４  ブラケット
５  手摺
６  固定具
７  エプロン
８  フランジ
９  額縁部
１１  深底部
１２  立上壁
１３  額縁部
１４  開口部
１５  排水升
１６  立上管
１７，１８  脚柱
１９  調整ボルト
２０  回転軸
２１  ハンドル
２２  リブ
２３  受板
２４  脚部
２５  金座
２６  カウンター
２７  壁
【図１】
2004350915.tif 000003
【図２】
2004350915.tif 000004
【図３】
2004350915.tif 000005
【図４】
2004350915.tif 000006
【図５】
2004350915.tif 000007